(57)【要約】  本発明は、所定場所に位置する複数の移動通信端末に大容量のマルチメディアメッセージを容易に提供するために、放送伝送サーバがコンテンツ提供サーバから位置基盤マルチメディアメッセージの伝送要求を受信し、伝送要求された位置基盤マルチメディアメッセージの提供先の地域を管轄する基地局に関する情報を収集し、位置基盤マルチメディアメッセージをマルチメディア伝送装備に伝達し、マルチメディア伝送装備のアドレス情報を収集し、収集したアドレス情報を基地局に関する情報に応じて対応する地域に位置する着信側移動通信端末にセル放送サービスメッセージ形態で伝送することを特徴とする。本発明によれば、現在の移動通信システム下で、セル放送サービスを用いて所定場所に位置する複数の移動通信端末に大容量のマルチメディアメッセージを容易に提供することができる。【選択図】図２
2010514327.tif 000002
【特許請求の範囲】
【請求項１】
放送伝送サーバがコンテンツ提供サーバからの位置基盤マルチメディアメッセージの伝送要求を受信するステップと、
前記伝送要求された位置基盤マルチメディアメッセージの提供先の地域を管轄する基地局に関する情報を収集するステップと、
前記位置基盤マルチメディアメッセージをマルチメディア伝送装備に伝達するステップと、
前記マルチメディア伝送装備から前記位置基盤マルチメディアメッセージのアドレス情報を収集するステップと、
前記収集したアドレス情報を前記基地局に関する情報に応じて前記地域に位置する着信側移動通信端末にセル放送サービスメッセージ形態で伝送するステップと、
を含むことを特徴とする位置基盤マルチメディアメッセージ伝送サービス方法。
【請求項２】
前記伝送結果を統合して伝送済みの番号リスト情報を生成し、コンテンツ提供サーバに提供するステップ、
をさらに含むことを特徴とする請求項１に記載の位置基盤マルチメディアメッセージ伝送サービス方法。
【請求項３】
前記生成されたリスト情報に基づいたマルチメディアメッセージの再伝送要求をコンテンツ提供サーバから受信するステップと、
前記アドレス情報が着信側移動通信端末に提供されるようにショートメッセージ伝送サーバに要求するステップと、
をさらに含むことを特徴とする請求項２に記載の位置基盤マルチメディアメッセージ伝送サービス方法。
【請求項４】
前記位置基盤マルチメディアメッセージの伝送要求に対応して、前記位置基盤マルチメディアメッセージを識別するメッセージＩＤを含む応答メッセージを前記コンテンツ提供サーバに提供するステップ、
をさらに含むことを特徴とする請求項１に記載の位置基盤マルチメディアメッセージ伝送サービス方法。
【請求項５】
前記基地局に関する情報は、
対応する地域の移動通信サービスを管轄する基地局に関する識別情報であるセルＩＤ情報を含むことを特徴とする請求項１に記載の位置基盤マルチメディアメッセージ伝送サービス方法。
【請求項６】
前記アドレス情報は、
前記マルチメディア伝送装備のＩＰアドレス及び前記マルチメディアメッセージのＩＤ情報を含むことを特徴とする請求項１に記載の位置基盤マルチメディアメッセージ伝送サービス方法。
【請求項７】
前記マルチメディア伝送装備に伝達するステップは、
前記位置基盤マルチメディアメッセージを、マルチメディアメッセージ伝送サービスを行うための規格に適するように変換するステップをさらに含むことを特徴とする請求項１に記載の位置基盤マルチメディアメッセージ伝送サービス方法。
【請求項８】
前記セル放送サービスメッセージ形態で伝送するステップにおいて、
前記基地局に関する情報及び前記着信側移動通信端末に提供可能な放送チャンネル情報をさらに伝送することを特徴とする請求項１に記載の位置基盤マルチメディアメッセージ伝送サービス方法。
【請求項９】
前記セル放送サービスメッセージ形態で伝送するステップにおいて、
前記着信側移動通信端末が、前記マルチメディア伝送装備に、対応するマルチメディアメッセージの提供を要求することが時間帯に関する情報をさらに伝送することを特徴とする請求項１に記載の位置基盤マルチメディアメッセージ伝送サービス方法。
【請求項１０】
前記着信側移動通信端末が、前記アドレス情報に基づいて前記マルチメディア伝送装備に接続し前記マルチメディアメッセージの提供を受けるステップをさらに含むことを特徴とする請求項１に記載の位置基盤マルチメディアメッセージ伝送サービス方法。
【請求項１１】
コンテンツ提供サーバから位置基盤マルチメディアメッセージ情報を受けるマルチメディアメッセージモジュールと、
前記コンテンツ提供サーバから伝送要求された位置基盤マルチメディアメッセージの提供先の地域を管轄する基地局に関する情報を収集する位置情報モジュールと、
前記位置基盤マルチメディアメッセージをマルチメディア伝送装備に伝達し、前記マルチメディア伝送装備から前記位置基盤マルチメディアメッセージのアドレス情報を収集し、前記収集したアドレス情報を前記基地局に関する情報に応じて前記地域に位置する着信側移動通信端末にセル放送サービスメッセージ形態で伝送する放送モジュールと、
を含むことを特徴とする放送伝送サーバ。
【請求項１２】
前記マルチメディアメッセージモジュールは、
前記メッセージ情報を、マルチメディアメッセージ伝送サービスを行うための規格に適するように変換することを特徴とする請求項１１に記載の放送伝送サーバ。
【請求項１３】
前記位置情報モジュールは、
前記要求対象の位置に誤りがあるか否かを確認することを特徴とする請求項１１に記載の放送伝送サーバ。
【発明の詳細な説明】
【技術分野】
【０００１】
本発明はマルチメディアメッセージサービス方法に関するものであって、特に所定場所に位置する複数の移動通信端末に大容量のマルチメディアメッセージを容易に提供するための位置基盤マルチメディアメッセージ伝送サービス方法及びそのサーバに関する。
【背景技術】
【０００２】
移動通信システムにおける文字メッセージ伝送方法には、ショートメッセージサービス（ＳＭＳ：Ｓｈｏｒｔ  Ｍｅｓｓａｇｅ  Ｓｅｒｖｉｃｅ）やセル放送サービス（ＣＢＳ：Ｃｅｌｌ  Ｂｒｏａｄｃａｓｔｉｎｇ  Ｓｅｒｖｉｃｅ）がある。ここで、ショートメッセージサービスは、移動通信端末間に短い文字メッセージをやり取りする一対一（ｐｏｉｎｔ  ｔｏ  ｐｏｉｎｔ）方式のメッセージサービスである。ショートメッセージサービスには、メッセージセンター（ＳＭＳＣ）の格納及び伝達機能と、ＣＤＭＡアクセス／ページング及びトラフィックチャンネルを用いることができる。
【０００３】
これに対して、セル放送サービスは無線チャンネルのページングチャンネルを用いて特定地域の移動通信端末機または所定グループの移動通信端末機にメッセージを一時に送出する一対多（ｐｏｉｎｔ  ｔｏ  ｍｕｌｔｉ）方式の片方向呼出またはメッセージの一括伝送サービスである。セル放送サービスは、不特定多数を対象とする広告放送や、天気予報、交通ニュースなどの情報提供によく使われている。
【０００４】
近年、移動通信システム及び移動通信端末の性能はますます向上している。ユーザの欲求を満たすために、動画、キャラクター、イメージ、メロディなどのようなマルチメディアデータと関連した多様な付加サービスが提供されている。また、提供されるデータのサイズは、よりよい画質や音質サービスを提供するためにますます大きくなっている。
【０００５】
このようなことを解決するために、マルチメディアメッセージサービス（ＭＭＳ：Ｍｕｌｔｉｍｅｄｉａ  Ｍｅｓｓａｇｅ  Ｓｅｒｖｉｃｅ）が提案された。マルチメディアメッセージサービスでは、メッセージセンター（ＭＭＳＣ）を介してメガバイト単位の大容量のマルチメディアメッセージを着信側移動通信端末に提供することができる。
【０００６】
一方、位置基盤メッセージ伝送方式は、移動通信網の最小単位である基地局情報を用いて所定の地域にマッピングし、その地域内に位置する移動通信端末にメッセージを伝送するメッセージ伝送方式である。ここで、所定の地域は、市、道、郡、邑、洞などの行政区域や仁川空港などのような特定地域であってもよい。
【０００７】
しかし、現在、ＣＤＭＡシステムやＷＣＤＭＡシステムにおいては、着信側移動通信端末から確認メッセージ（ＮＯＴＩ−ｍｅｓｓａｇｅ）が伝送されないと、マルチメディアメッセージサービスセンターが大容量のマルチメディアメッセージを最終的に着信側移動通信端末に提供することはできない。
【０００８】
したがって、現在の移動通信システムでは、位置基盤で上記大容量のマルチメディアメッセージ伝送サービスを十分に支援することができないという問題があった。
【０００９】
また、位置基盤でメッセージを伝送できるセル放送サービスの伝送可能なデータサイズは、ＣＤＭＡシステムでは５１２バイト、ＷＣＤＭＡシステムでは最大１２９６バイトに過ぎないという問題があった。
【発明の概要】
【発明が解決しようとする課題】
【００１０】
本発明は、上述した問題点を解決するためになされたものであって、移動通信システム下において、位置基盤で大容量のマルチメディアメッセージを送信できるサービス方法及びそのサーバを提供することを目的とする。
【課題を解決するための手段】
【００１１】
本発明の一態様では、位置基盤マルチメディアメッセージ伝送サービス方法が提供される。本発明の一実施形態による位置基盤マルチメディアメッセージ伝送サービス方法は、放送伝送サーバがコンテンツ提供サーバから位置基盤マルチメディアメッセージの伝送要求を受信するステップと、上記伝送要求された位置基盤マルチメディアメッセージの提供先の地域を管轄する基地局に関する情報を収集するステップと、上記位置基盤マルチメディアメッセージをマルチメディア伝送装備に伝達するステップと、上記マルチメディア伝送装備から上記位置基盤マルチメディアメッセージのアドレス情報を収集するステップと、上記収集したアドレス情報を上記基地局に関する情報に応じて上記地域に位置する着信側移動通信端末にセル放送サービスメッセージ形態で伝送するステップと、を含む。
【００１２】
本発明の他の態様では、放送伝送サーバが提供される。本発明の一実施形態による放送伝送サーバは、コンテンツ提供サーバから位置基盤マルチメディアメッセージ情報を受けるマルチメディアメッセージモジュールと、上記コンテンツ提供サーバから伝送要求された位置基盤マルチメディアメッセージの提供先の地域を管轄する基地局に関する情報を収集する位置情報モジュールと、上記位置基盤マルチメディアメッセージをマルチメディア伝送装備に伝達し、上記マルチメディア伝送装備から上記位置基盤マルチメディアメッセージのアドレス情報を収集し、上記収集したアドレス情報を上記基地局に関する情報に応じて上記地域に位置する着信側移動通信端末にセル放送サービスメッセージ形態で伝送する放送モジュールと、を含む。
【図面の簡単な説明】
【００１３】
【図１】本発明の好ましい一実施形態による位置基盤マルチメディアメッセージサービスを提供するシステムの構成を示すブロック図である。
【図２】本発明の一実施形態による放送伝送サーバが位置基盤マルチメディアメッセージサービスを提供する過程を示すフローチャートである。
【図３】本発明の一実施形態により位置基盤マルチメディアメッセージサービスを提供する過程を示す工程図である。
【図４】本発明の他の実施形態により提供された位置基盤マルチメディアメッセージを再伝送する必要があるか否かを確認する過程を示す工程図である。
【図５】本発明の他の実施形態による位置基盤マルチメディアメッセージの伝送が失敗した着信側移動通信端末にマルチメディアメッセージを再伝送する過程を示す工程図である。
【図６】本発明の他の実施形態により位置基盤マルチメディアメッセージを提供する放送伝送サーバの構成を示すブロック図である。
【発明を実施するための形態】
【００１４】
以下、添付した図面を参照して、本発明による好ましい実施形態を詳細に説明することにし、本発明を説明するに当たって、図面番号に拘わらず同一かつ対応の構成要素には同一の図面符号を付し、これに対する重複説明は省略する。本発明を説明するに当たって、係る公知技術に対する具体的な説明が本発明の要旨をかえって不明にすると判断される場合、その詳細な説明を省略する。
【００１５】
本明細書において、ある構成要素が他の構成要素に「連結」あるいは「接続」されていると記載された場合は、その他の構成要素に直接的に連結されているか、または接続されていることもでき、中間に他の構成要素が存在することもできると理解しなければならない。反面、ある構成要素が他の構成要素に「直接連結」あるいは「直接接続」されていると記載された時には、中間に他の構成要素が存在しないと理解しなければならない。
【００１６】
また、本明細書で記載したモジュール（ｍｏｄｕｌｅ）という用語は、特定の機能や動作を処理する一つの単位を意味し、これはハードウェアやソフトウェアまたはハードウェア及びソフトウェアの結合から得られる。
【００１７】
先ず、図１を参照しながら本発明の好ましい一実施形態による位置基盤マルチメディアメッセージ提供システムの構成を説明する。
【００１８】
図１は、本発明の好ましい一実施形態による位置基盤マルチメディアメッセージサービス提供システムの構成を説明するためのブロック図である。
【００１９】
図１を参照すると、上記位置基盤マルチメディアメッセージサービス提供システムは、着信側移動通信端末１００、マルチメディア伝送装備（又は設備）３００、基地局情報サーバ４００、放送伝送サーバ５００、及びコンテンツ提供サーバ６００を含むことができる。
【００２０】
コンテンツ提供サーバ６００は、動画、キャラクター、イメージ、メロディなどを含むマルチメディアコンテンツを生成することができる。ここで、生成されたコンテンツは後述する放送伝送サーバ５００に提供される。
【００２１】
本発明により提供されるコンテンツは、市、道、郡、邑、洞などの行政区域や仁川空港などのような特定地域に位置する着信側移動通信端末１００に伝送することができる。
【００２２】
放送伝送サーバ５００はコンテンツ提供サーバ６００からマルチメディアコンテンツデータの提供を受ける。放送伝送サーバ５００はコンテンツデータをセル放送サービス（ＣＢＳ）メッセージ形態で所定の地域内に位置している移動通信端末に提供する。
【００２３】
放送伝送サーバ５００はコンテンツ提供サーバ６００からマルチメディアメッセージの伝送要求を受信する。
【００２４】
マルチメディアメッセージの伝送要求を受信すると、放送伝送サーバ５００は、基地局情報サーバ４００から着信側移動通信端末１００が位置する地域を管轄する基地局に関する位置情報を収集する。
【００２５】
放送伝送サーバ５００はマルチメディアメッセージを別途の格納装置に格納することができる。ここで、別途の格納装置はマルチメディア伝送装備３００であってもよく、これについては後述する。
【００２６】
放送伝送サーバ５００は伝送要求された地域の全ての着信側移動通信端末１００にマルチメディアメッセージに対するアドレス情報を伝送する。このとき、放送伝送サーバ５００は、マルチメディアメッセージ伝送が要求された地域を管轄する基地局を介してアドレス情報を伝送する。
【００２７】
また、放送伝送サーバ５００はアドレス情報をセル放送メッセージ形態で無線チャンネルのページングチャンネルを用いて提供することができる。
【００２８】
ここで、アドレス情報は、マルチメディアメッセージに対するＵＲＬアドレスであってもよく、マルチメディア伝送装備３００のＩＰアドレス（ＩＰ  Ａｄｄｒｅｓｓ）及びメッセージＩＤ情報を含むことができる。
【００２９】
基地局情報サーバ４００は所定の地域を管轄する移動通信システムの基地局に関する情報を管理する。
【００３０】
基地局情報サーバ４００は所定の地域の位置を特定する位置情報を含む基地局情報提供要求を受信することができる。
【００３１】
基地局情報サーバ４００は基地局情報の提供要求がある場合、要求された地域の移動通信サービスを管轄する基地局に関する情報を提供することができる。例えば、基地局情報は対応する基地局のセルＩＤ（ｃｅｌｌ  ＩＤ）を含むことができる。
【００３２】
マルチメディア伝送装備３００は従来のマルチメディアメッセージ伝送を担当する装備、例えば、マルチメディアメッセージサービスセンター（ＭＭＳＣ）であってもよい。
【００３３】
マルチメディア伝送装備３００には放送伝送サーバ５００からマルチメディアコンテンツを含むマルチメディアメッセージが提供される。
【００３４】
ここで、マルチメディアコンテンツは、動画、キャラクター、イメージ、メロディなどを含むことができることは上述した通りである。
【００３５】
マルチメディア伝送装備３００は、提供されたマルチメディアメッセージを別途の格納空間に格納する。マルチメディア伝送装備３００は、マルチメディアメッセージに関するアドレス情報を放送伝送サーバ５００に提供することができる。
【００３６】
また、マルチメディア伝送装備３００は、提供されたマルチメディアメッセージがマルチメディアメッセージサービスに適する形態ではない場合にはこれを適する形態に変換することができる。
【００３７】
着信側移動通信端末１００は、マルチメディアメッセージに対するアドレス情報を受信することができる。
【００３８】
また、着信側移動通信端末１００は、受信したアドレス情報に基づいて対応するマルチメディア伝送装備３００に接続することができる。着信側移動通信端末１００は、接続したマルチメディア伝送装備３００から対応するマルチメディアメッセージをダウンロードすることができる。
【００３９】
以上では、図１を参照して本発明の実施形態による位置基盤マルチメディアメッセージ提供システムの構成を説明した。以下では、図２及び図３を参照しながら、位置基盤マルチメディアメッセージサービスを提供する過程について詳細に説明する。
【００４０】
図２は、本発明の一実施形態による放送伝送サーバ５００が位置基盤マルチメディアメッセージサービスを提供する過程を示すフローチャートである。
【００４１】
ステップＳ２０１で、放送伝送サーバ５００はコンテンツ提供サーバ６００から位置基盤マルチメディアメッセージの伝送要求を受信する。
【００４２】
このとき、上記放送伝送サーバ５００は、上記ステップＳ２０１の要求に対する応答メッセージをコンテンツ提供サーバ６００に提供することができる。
【００４３】
具体的には、放送伝送サーバ５００はマルチメディアメッセージに対する識別情報としてメッセージＩＤを生成し、生成されたメッセージＩＤを応答メッセージと共にコンテンツ提供サーバ６００に提供することができる。
【００４４】
ステップＳ２０２で、放送伝送サーバ５００は、マルチメディアメッセージの提供先の地域を管轄する基地局に関する情報を収集する。
【００４５】
ここで、放送伝送サーバ５００は、基地局に関する情報を基地局情報サーバ４００を介して収集することができる。基地局情報サーバ４００は上述したように、特定地域の移動通信サービスを管轄する基地局に関する情報（例えば、セルＩＤ情報）を管理する別途の装置である。
【００４６】
このとき、対応する地域に関する情報が基地局情報サーバに存在しないことが確認された場合、放送伝送サーバ５００はこのような趣旨の情報をコンテンツ提供サーバ６００に提供し、全体の手続きは終了されてもよい。
【００４７】
また、放送伝送サーバ５００は、必要によりマルチメディア伝送サービスを行うための規格に適するように、マルチメディアメッセージを変換することができる。これは、コンテンツ提供サーバ６００から提供されるマルチメディア情報と、マルチメディア伝送装備３００から着信側移動通信端末１００に提供されるマルチメディアメッセージとの形態や規格が異なる場合もあるからである。この場合、マルチメディアメッセージの形態や規格を変換しないと、マルチメディア伝送装備３００から着信側移動通信端末１００にマルチメディアメッセージを提供することができない。したがって、放送伝送サーバ５００はマルチメディアメッセージを円滑に伝送するために、マルチメディアメッセージを提供できる規格に変換することができる。
【００４８】
ステップＳ２０３で、放送伝送サーバ５００は、提供されたマルチメディアメッセージをマルチメディア伝送装備３００に伝達し、マルチメディア伝送装備３００は伝達されたマルチメディアメッセージを格納することができる。
【００４９】
また、放送伝送サーバ５００は、マルチメディア放送メッセージに関するアドレス情報を収集する。
【００５０】
ここで、アドレス情報はマルチメディアメッセージに対するＵＲＬアドレスであってもよく、マルチメディア伝送装備３００のＩＰアドレス及びメッセージＩＤ情報を含むことができることは上述した通りである。
【００５１】
ステップＳ２０４で、放送伝送サーバ５００はマルチメディアメッセージのアドレス情報を着信側移動通信端末１００に伝送する。このとき、アドレス情報はセル放送メッセージ形態で伝送される。
【００５２】
また、放送伝送サーバ５００はアドレス情報だけでなく、基地局情報サーバから提供された基地局情報及び着信側移動通信端末１００に提供可能な放送チャンネル情報をさらに伝送することができる。
【００５３】
ここで、上記放送チャンネル情報は、位置基盤マルチメディアメッセージの受信を希望するユーザが既に加入している場合であれば、ショートメッセージ（ＳＭＳ）などで着信側移動通信端末１００により事前に伝送された値であることができる。本発明において着信側端末は、予め格納された放送チャンネル値と放送伝送サーバ５００から伝送された放送チャンネル値とを比較して、一致する場合に限ってマルチメディアメッセージをディスプレイすることができる。
【００５４】
以後、着信側移動通信端末１００はマルチメディア伝送装備３００に接続し、受信したメッセージに含まれているＵＲＬ情報などのアドレス情報に基づいて上記マルチメディア伝送装備３００に格納された対応するマルチメディアメッセージの提供を受けることができる。
【００５５】
図３は、本発明の一実施形態により位置基盤マルチメディアメッセージサービスを提供する過程を示す工程図である。
【００５６】
ステップＳ３０１及びステップＳ３０２で、コンテンツ提供サーバ６００は放送伝送サーバ５００に位置基盤マルチメディアメッセージの伝送を要求し、上記放送伝送サーバ５００は、伝送要求に対する応答メッセージをコンテンツ提供サーバ６００に提供する。
【００５７】
また、放送伝送サーバ５００はマルチメディアメッセージに対する識別情報としてメッセージＩＤを生成し、生成されたメッセージＩＤを応答メッセージと共にコンテンツ提供サーバ６００に提供することができる。
【００５８】
ステップＳ３０３及びステップＳ３０４で、放送伝送サーバ５００は基地局情報サーバ４００に上記位置基盤マルチメディアメッセージが提供される地域（以下、「放送地域」という）の移動通信サービスを管轄する基地局に関する情報を要求する。
【００５９】
放送伝送サーバ５００は、要求に対する応答として基地局情報を受信する。このとき、受信する基地局情報は特定地域を管轄する基地局に関する識別情報、例えばセルＩＤ情報を含むことができる。
【００６０】
また、放送伝送サーバ５００は、要求対象となった放送地域に関する情報が基地局情報サーバに存在しないと確認された場合、このような趣旨の情報をコンテンツ提供サーバに提供することができる。この場合、全体の手続きは終了されてもよい。
【００６１】
ステップＳ３０５及びステップＳ３０６で、放送伝送サーバ５００はコンテンツ提供サーバ６００から提供されたマルチメディアメッセージをマルチメディア伝送装備３００に伝達する。
【００６２】
マルチメディア伝送装備３００は伝達されたマルチメディアメッセージを一旦別途の格納空間に格納することができる。また、マルチメディア伝送装備は、マルチメディアメッセージが格納された位置のアドレス情報を放送伝送サーバ５００に提供することができる。
【００６３】
ここで、アドレス情報はマルチメディアメッセージに対するＵＲＬアドレスであってもよく、マルチメディア伝送装備３００のＩＰアドレス及びメッセージＩＤ情報を含むことができることは上述した通りである。
【００６４】
また、放送伝送サーバ５００は、必要によりマルチメディア伝送サービスを行うための規格に適するように、マルチメディアメッセージを変換することができる。
【００６５】
あるいは、マルチメディア伝送装備３００が、マルチメディア伝送サービスを行うための規格に適するようにマルチメディアメッセージを変換することができる。
【００６６】
マルチメディアメッセージの規格を変換することは、メッセージの伝送を円滑にするためであって、その具体的な理由は図２で説明した通りである。
【００６７】
ステップＳ３０７で、放送伝送サーバ５００は、マルチメディアメッセージのアドレス情報を着信側移動通信端末１００に伝送する。このとき、アドレス情報はセル放送メッセージ形態で伝送される。
【００６８】
また、放送伝送サーバ５００はアドレス情報だけでなく、基地局情報サーバから提供された基地局情報及び着信側移動通信端末１００に提供可能な放送チャンネル情報をさらに伝送することができる。
【００６９】
放送チャンネル情報については図２で説明したので、本発明の理解の便宜上省略する。
【００７０】
ステップＳ３０８及びＳ３０９で、着信側移動通信端末１００は受信したマルチメディアメッセージに含まれているＵＲＬ情報などのアドレス情報に基づいて伝送装備に接続し、マルチメディアメッセージを要求することができる。
【００７１】
ここで、マルチメディア伝送装備３００は接続された着信側端末に、格納された対応するマルチメディアメッセージを提供することができる。
【００７２】
このとき、着信側移動通信端末１００は上記ステップＳ３０７にてアドレス情報の提供を受けたすぐ後に上記ステップＳ３０８のメッセージ提供を要求する必要はない。
【００７３】
着信側移動通信端末１００は、所定時間内（以下、最大伝送可能時間（ｅｘｐｉｒｅｄ  ｔｉｍｅ）という）に、マルチメディア伝送装備３００に、アドレス情報に対応するマルチメディアメッセージの提供を要求すればよい。
【００７４】
これは、複数の移動通信端末１００からマルチメディアメッセージの提供要求が同時に発生する負荷を避けるためである。
【００７５】
また、マルチメディア伝送装備３００は設定された最大伝送可能時間までに上記マルチメディアメッセージを格納することができる。マルチメディア伝送装備３００は、最大伝送可能時間以後に要求されるメッセージは端末に伝送しなくてもよい。
【００７６】
ここで、上記最大伝送可能時間は、着信側移動通信端末１００からの要求可能時間を考慮してマルチメディア伝送装備３００により設定される。
【００７７】
また、マルチメディア伝送装備３００の最大伝送可能時間に基づいた任意の時間は端末番号（ＭＤＮ）やＩＭＳＩ（Ｉｎｔｅｒｎａｔｉｏｎａｌ  Ｍｏｂｉｌｅ  Ｓｔａｔｉｏｎ  Ｉｄｅｎｔｉｔｙ）値などを用いて抽出することができる。
【００７８】
以上、図２及び図３を参照して本発明の実施形態による位置基盤マルチメディアメッセージサービスを提供する過程を説明した。以下では、図４及び図５を参照しながらマルチメディアメッセージ提供が失敗した場合に再伝送する過程について詳細に説明する。
【００７９】
図４及び図５は、本発明の他の実施形態による位置基盤マルチメディアメッセージサービスにおいて、マルチメディアメッセージの提供が失敗した場合に再伝送する過程を示す工程図である。
【００８０】
図４は、本発明の他の実施形態により提供された位置基盤マルチメディアメッセージを再伝送する必要があるか否かを確認する過程を示す工程図であり、図５は、本発明の他の実施形態による位置基盤マルチメディアメッセージの伝送が失敗した場合の着信側移動通信端末１００にマルチメディアメッセージを再伝送する過程を示す工程図である。
【００８１】
図４を参照すると、ステップＳ４０１で、着信側移動通信端末１００の要求に対するマルチメディアメッセージが提供された場合、マルチメディア伝送装備３００はその伝送結果を放送伝送サーバ５００に伝送する。ここで伝送される伝送結果には、上記伝送が完了された着信側移動通信端末１００に対する呼出番号の内訳情報が含まれていてもよい。
【００８２】
また、マルチメディア伝送装備３００はマルチメディア伝送装備３００の最大伝送可能時間を経過した後に伝送結果を伝送することができる。
【００８３】
ステップＳ４０２で、放送伝送サーバ５００は複数のマルチメディア伝送装備３００から伝達される伝送結果を統合して伝送済みの番号リスト情報を生成することができる。放送伝送サーバ５００は、生成されたリスト情報をコンテンツ提供サーバ６００に伝送することができる。
【００８４】
ステップＳ４０３で、コンテンツ提供サーバ６００は伝送されたリスト情報に基づいてマルチメディアメッセージ伝送が成功したか否かを確認することができる。
【００８５】
このために、コンテンツ提供サーバ６００は、伝送完了後、放送伝送サーバ５００から提供された伝送済みの番号リスト情報と、コンテンツ提供サーバ６００が有している加入者データベースとを比較することができる。
【００８６】
図５を参照すると、ステップＳ５０１で、コンテンツ提供サーバ６００はマルチメディアメッセージを再伝送するか否かを判断することができる。コンテンツ提供サーバ６００は、再伝送が必要と判断された着信側移動通信端末１００にマルチメディアメッセージの再伝送を要求する。
【００８７】
このとき、コンテンツ提供サーバ６００は再伝送対象となった着信側移動通信端末１００に対する呼出番号を用いて再伝送するマルチメディアメッセージの伝送を直接要求することができる。
【００８８】
ステップＳ５０２で、マルチメディア伝送装備３００はショートメッセージ伝送サーバ２００にマルチメディアメッセージのアドレス情報を伝達することができる。
【００８９】
ステップＳ５０３で、ショートメッセージ伝送サーバ２００は伝送されたアドレス情報を着信側移動通信端末１００に伝達する。
【００９０】
ステップＳ５０４で、マルチメディアメッセージのＵＲＬ情報を受けた着信側移動通信端末１００は、対応するアドレス情報に基づいて、マルチメディア伝送装備３００にマルチメディアメッセージの提供を要求する。
【００９１】
ステップＳ５０５で、マルチメディアメッセージ提供要求を受信したマルチメディア伝送装備３００は、着信側移動通信端末１００に対応するマルチメディアメッセージを提供する。このとき、マルチメディア伝送装備３００は、着信側移動通信端末１００が対応するマルチメディアメッセージを所定時間の間に受信しない場合には、対応するマルチメディアメッセージを周期的に再伝送することができる。
【００９２】
以上では、図４及び図５を参照して本発明の実施形態によるマルチメディアメッセージ提供が失敗した場合に再伝送する過程を説明した。以下、図６を参照して、位置基盤マルチメディアメッセージを提供する放送伝送サーバ５００について詳細に説明する。
【００９３】
図６は、本発明のまた他の実施形態により位置基盤マルチメディアメッセージを提供する放送伝送サーバ５００の構成を示すブロック図である。
【００９４】
図６を参照すると、放送伝送サーバ５００は、制御部５１０、格納装置部５２０、及びインターフェース部５３０を含むことができる。また、制御部５１０は、マルチメディアメッセージモジュール５１１、位置情報モジュール５１２、及び放送モジュール５１３を含むことができる。
【００９５】
マルチメディアメッセージモジュール５１１には、コンテンツ提供サーバ６００からの上記マルチメディアメッセージ情報が伝達される。また、マルチメディアメッセージモジュール５１１は伝達されたマルチメディアメッセージ情報をデータベースに格納することができる。
【００９６】
また、マルチメディアモジュールは伝送されたメッセージ情報をマルチメディアメッセージ伝送に適する規格に変換することができる。
【００９７】
位置情報モジュール５１２は、コンテンツ提供サーバ６００から伝送要求された位置基盤マルチメディアメッセージの提供先の地域を管轄する基地局に関する情報を収集する。
【００９８】
また、位置情報モジュール５１２は伝送要求対象となった位置に誤りがあるか否かを確認することができる。
【００９９】
放送モジュール５１３は上記位置基盤マルチメディアメッセージをマルチメディア伝送装備３００に伝達し、マルチメディア伝送装備３００からマルチメディアメッセージのアドレス情報を収集することができる。
【０１００】
また、放送モジュール５１３は収集したアドレス情報を基地局に関する情報に応じて伝送要求地域に位置する着信側移動通信端末１００にセル放送サービスメッセージ形態で伝送することができる。
【０１０１】
ここで、放送モジュール５１３は収集された基地局に、ページングチャンネルを介してアドレス情報をセル放送サービス形態で提供することができる。
【０１０２】
格納装置部５２０はマルチメディアメッセージモジュール５１１により管理されるマルチメディアメッセージ情報及び位置情報モジュール５１２により管理される基地局情報を格納する。
【０１０３】
インターフェース部５３０は、放送伝送サーバ５００と、周辺の着信側移動通信端末１００、マルチメディア伝送装備、基地局情報サーバ、及びコンテンツ提供サーバ６００との情報交換及び通信を行う。
【０１０４】
以上、本発明を実施形態を用いて説明したが、本発明の技術的範囲は上記実施形態に記載の範囲には限定されない。上記実施形態に、多様な変更または改良を加えることが可能であることが当業者に明らかである。その様な変更または改良を加えた形態も本発明の技術的範囲に含まれ得ることが、特許請求の範囲の記載から明らかである。
【産業上の利用可能性】
【０１０５】
本発明によれば、現在の移動通信システム下で、セル放送サービスを用いて所定場所に位置する複数の移動通信端末に大容量のマルチメディアメッセージを容易に提供することができる。
【図１】
2010514327.tif 000003
【図２】
2010514327.tif 000004
【図３】
2010514327.tif 000005
【図４】
2010514327.tif 000006
【図５】
2010514327.tif 000007
【手続補正書】
【提出日】平成20年12月22日(2008.12.22)
【手続補正１】
【補正対象書類名】図面
【補正対象項目名】図６
【補正方法】追加
【補正の内容】
【図６】
2010514327.tif 000008
【国際調査報告】
2010514327.tif 000009
2010514327.tif 000010